(57)【特許請求の範囲】
【請求項１】
交換機を介して、第１通信端末及び第２通信端末と、第３通信端末との間の通信を可能にする通信システムであって、
前記第１通信端末は、
所定の距離内での通信端末間の通信プロトコルを用いて前記第２通信端末を認証し、前記第２通信端末の端末識別情報を取得する認証部と、
前記第３通信端末との接続の際に、前記第１通信端末の端末識別情報と、前記第２通信端末の端末識別情報と、認証結果とを前記交換機に送信する送信部と、
を有し、
前記交換機は、
認証結果に基づいて、前記第１通信端末から受信した前記第１通信端末の端末識別情報と前記第２通信端末の端末識別情報とを保持する端末識別情報保持部と、
前記端末識別情報保持部に保持された情報に基づいて、前記第２通信端末と前記第３通信端末との間の通信の可否を判断する判断部と、
を有し、
前記認証部は、前記第２通信端末と認証鍵を交換した場合に認証フラグを設定し、
前記送信部は、認証結果として認証フラグを送信し、
前記端末識別情報保持部は、認証フラグを受信した場合に、前記第１通信端末の端末識別情報と前記第２通信端末の端末識別情報とを対応付けて保持し、
前記判断部は、前記第２通信端末と前記第３通信端末との接続の際に、前記第１通信端末が前記第３通信端末と通信中であり、且つ、前記端末識別情報保持部において前記第１通信端末の端末識別情報と前記第２通信端末の端末識別情報とが対応付けられている場合に、前記第２通信端末と前記第３通信端末との間の通信を許可する通信システム。
【請求項２】
交換機を介して、第１通信端末及び第２通信端末と、第３通信端末との間の通信を可能にする通信システムであって、
前記第１通信端末は、
所定の距離内での通信端末間の通信プロトコルを用いて前記第２通信端末を認証し、前記第２通信端末の端末識別情報を取得する認証部と、
前記第３通信端末との接続の際に、前記第１通信端末の端末識別情報と、前記第２通信端末の端末識別情報と、認証結果とを前記交換機に送信する送信部と、
を有し、
前記交換機は、
認証結果に基づいて、前記第１通信端末から受信した前記第１通信端末の端末識別情報と前記第２通信端末の端末識別情報とを保持する端末識別情報保持部と、
前記端末識別情報保持部に保持された情報に基づいて、前記第２通信端末と前記第３通信端末との間の通信の可否を判断する判断部と、
を有し、
前記交換機は、前記第２通信端末と前記第３通信端末との接続の際に、前記第１通信端末の端末識別情報を前記第３通信端末に通知する通知部を更に有する通信システム。
【請求項３】
交換機を介して、第１通信端末及び第２通信端末と、第３通信端末との間の通信を可能にする通信システムであって、
前記第１通信端末は、
所定の距離内での通信端末間の通信プロトコルを用いて前記第２通信端末を認証し、前記第２通信端末の端末識別情報を取得する認証部と、
前記第３通信端末との接続の際に、前記第１通信端末の端末識別情報と、前記第２通信端末の端末識別情報と、認証結果とを前記交換機に送信する送信部と、
を有し、
前記交換機は、
認証結果に基づいて、前記第１通信端末から受信した前記第１通信端末の端末識別情報と前記第２通信端末の端末識別情報とを保持する端末識別情報保持部と、
前記端末識別情報保持部に保持された情報に基づいて、前記第２通信端末と前記第３通信端末との間の通信の可否を判断する判断部と、
を有し、
前記第１通信端末は、
バッテリの残量を管理するバッテリ残量管理部と、
バッテリの残量が閾値未満になった場合、前記交換機に対して通信切断要求を送信する通信切断要求部と、
を更に有し、
前記交換機は、前記第１通信端末から通信切断要求を受信した場合、前記第１通信端末との通信を切断し、前記第２通信端末と前記第３通信端末とを接続する接続管理部を更に有する通信システム。
【請求項４】
交換機を介して、第１通信端末及び第２通信端末と、第３通信端末との間の通信を可能にする通信システムであって、
前記第１通信端末は、
所定の距離内での通信端末間の通信プロトコルを用いて前記第２通信端末を認証し、前記第２通信端末の端末識別情報を取得する認証部と、
前記第３通信端末との接続の際に、前記第１通信端末の端末識別情報と、前記第２通信端末の端末識別情報と、認証結果とを前記交換機に送信する送信部と、
を有し、
前記交換機は、
認証結果に基づいて、前記第１通信端末から受信した前記第１通信端末の端末識別情報と前記第２通信端末の端末識別情報とを保持する端末識別情報保持部と、
前記端末識別情報保持部に保持された情報に基づいて、前記第２通信端末と前記第３通信端末との間の通信の可否を判断する判断部と、
を有し、
前記第２通信端末は、
バッテリの残量を管理するバッテリ残量管理部と、
バッテリの残量が閾値未満になった場合、前記交換機に対して通信切断要求を送信する通信切断要求部と、
を更に有し、
前記交換機は、前記第２通信端末から通信切断要求を受信した場合、前記第２通信端末との通信を切断し、前記第１通信端末と前記第３通信端末とを接続する接続管理部を更に有する通信システム。
【請求項５】
前記第１通信端末は、回線交換網を介して前記第３通信端末と通信する端末であり、前記第２通信端末は、パケット交換網を介して前記第３通信端末と通信する端末であり、
前記通信切断要求部は、前記交換機に対してパケット通信の切断要求を送信すると共に、前記第１通信端末に対してパケット通信用アプリケーションの起動を要求する、請求項４に記載の通信システム。
【請求項６】
交換機を介して、第１通信端末及び第２通信端末と、第３通信端末との間の通信を可能にする通信方法であって、
前記第１通信端末が、所定の距離内での通信端末間の通信プロトコルを用いて前記第２通信端末を認証し、前記第２通信端末の端末識別情報を取得するステップと、
前記第１通信端末が、前記第３通信端末との接続の際に、前記第１通信端末の端末識別情報と、前記第２通信端末の端末識別情報と、認証結果とを前記交換機に送信するステップと、
前記交換機が、認証結果に基づいて、前記第１通信端末から受信した前記第１通信端末の端末識別情報と前記第２通信端末の端末識別情報とを端末識別情報保持部に保持するステップと、
前記交換機が、前記端末識別情報保持部に保持された情報に基づいて、前記第２通信端末と前記第３通信端末との間の通信の可否を判断するステップと、
を有し、
前記取得するステップは、前記第２通信端末と認証鍵を交換した場合に認証フラグを設定し、
前記送信するステップは、認証結果として認証フラグを送信し、
前記保持するステップは、認証フラグを受信した場合に、前記第１通信端末の端末識別情報と前記第２通信端末の端末識別情報とを対応付けて前記端末識別情報保持部に保持し、
前記判断するステップは、前記第２通信端末と前記第３通信端末との接続の際に、前記第１通信端末が前記第３通信端末と通信中であり、且つ、前記端末識別情報保持部において前記第１通信端末の端末識別情報と前記第２通信端末の端末識別情報とが対応付けられている場合に、前記第２通信端末と前記第３通信端末との間の通信を許可する通信方法。
【請求項７】
交換機を介して、第１通信端末及び第２通信端末と、第３通信端末との間の通信を可能にする通信方法であって、
前記第１通信端末が、所定の距離内での通信端末間の通信プロトコルを用いて前記第２通信端末を認証し、前記第２通信端末の端末識別情報を取得するステップと、
前記第１通信端末が、前記第３通信端末との接続の際に、前記第１通信端末の端末識別情報と、前記第２通信端末の端末識別情報と、認証結果とを前記交換機に送信するステップと、
前記交換機が、認証結果に基づいて、前記第１通信端末から受信した前記第１通信端末の端末識別情報と前記第２通信端末の端末識別情報とを端末識別情報保持部に保持するステップと、
前記交換機が、前記端末識別情報保持部に保持された情報に基づいて、前記第２通信端末と前記第３通信端末との間の通信の可否を判断するステップと、
を有し、
前記交換機が、前記第２通信端末と前記第３通信端末との接続の際に、前記第１通信端末の端末識別情報を前記第３通信端末に通知するステップを更に有する通信方法。
【請求項８】
交換機を介して、第１通信端末及び第２通信端末と、第３通信端末との間の通信を可能にする通信方法であって、
前記第１通信端末が、所定の距離内での通信端末間の通信プロトコルを用いて前記第２通信端末を認証し、前記第２通信端末の端末識別情報を取得するステップと、
前記第１通信端末が、前記第３通信端末との接続の際に、前記第１通信端末の端末識別情報と、前記第２通信端末の端末識別情報と、認証結果とを前記交換機に送信するステップと、
前記交換機が、認証結果に基づいて、前記第１通信端末から受信した前記第１通信端末の端末識別情報と前記第２通信端末の端末識別情報とを端末識別情報保持部に保持するステップと、
前記交換機が、前記端末識別情報保持部に保持された情報に基づいて、前記第２通信端末と前記第３通信端末との間の通信の可否を判断するステップと、
を有し、
前記第１通信端末が、バッテリの残量を管理するステップと、
前記第１通信端末が、バッテリの残量が閾値未満になった場合、前記交換機に対して通信切断要求を送信するステップと、
前記交換機が、前記第１通信端末から通信切断要求を受信した場合、前記第１通信端末との通信を切断し、前記第２通信端末と前記第３通信端末とを接続するステップと、
を更に有する通信方法。
【請求項９】
交換機を介して、第１通信端末及び第２通信端末と、第３通信端末との間の通信を可能にする通信方法であって、
前記第１通信端末が、所定の距離内での通信端末間の通信プロトコルを用いて前記第２通信端末を認証し、前記第２通信端末の端末識別情報を取得するステップと、
前記第１通信端末が、前記第３通信端末との接続の際に、前記第１通信端末の端末識別情報と、前記第２通信端末の端末識別情報と、認証結果とを前記交換機に送信するステップと、
前記交換機が、認証結果に基づいて、前記第１通信端末から受信した前記第１通信端末の端末識別情報と前記第２通信端末の端末識別情報とを端末識別情報保持部に保持するステップと、
前記交換機が、前記端末識別情報保持部に保持された情報に基づいて、前記第２通信端末と前記第３通信端末との間の通信の可否を判断するステップと、
を有し、
前記第２通信端末が、バッテリの残量を管理するステップと、
前記第２通信端末が、バッテリの残量が閾値未満になった場合、前記交換機に対して通信切断要求を送信するステップと、
前記交換機が、前記第２通信端末から通信切断要求を受信した場合、前記第２通信端末との通信を切断し、前記第１通信端末と前記第３通信端末とを接続するステップと、
を更に有する通信方法。
【発明の詳細な説明】
【技術分野】
【０００１】
本発明は、通信システム及び通信方法に関する。
【背景技術】
【０００２】
通信端末の機能の多様化により、１人のユーザが複数の通信端末を所有することが想定される。例えば、１人のユーザが音声通話用に携帯電話を使い、データ通信用にスマートフォンを使うというような場合が考えられる。
【０００３】
ＩＳＤＮのような通信システムでは、同時に２台の電話機を交換機に接続できる（例えば、特許文献１参照）。しかし、移動通信システムの場合には、着信側ユーザは、複数の通信端末が同じ発信側ユーザによって所有されていることを認識できない。
【先行技術文献】
【特許文献】
【０００４】
【特許文献１】特開2001-024739号公報
【発明の概要】
【発明が解決しようとする課題】
【０００５】
上記のように、発信側ユーザが複数の通信端末を所有する場合、着信側ユーザは、これらの複数の通信端末が同じユーザによって所有されているかを認識できない。また、着信側ユーザが複数の通信端末を所有する場合も、発信側ユーザは、これらの複数の通信端末が同じユーザによって所有されているかを認識できない。
【０００６】
このような１人のユーザによる複数の通信端末の同時使用は、１台の通信端末でホームページを見ながら別の通信端末で音声通話する場合、１台の通信端末でオンラインゲームをしながら別の通信端末で音声通話する場合等のように、各種の利用形態が考えられる。
【０００７】
また、携帯端末の操作がわからないユーザ（被アシスト者）に対し、教える側のユーザ（アシスト者）が、携帯端末から相手の携帯端末に対して操作手順をガイドするというアシスト機能においても、画面を確認するための端末と音声通話するための端末との使い分けを可能にすることが望まれる。
【０００８】
本発明は、複数の通信端末が同じユーザによって所有されていることを担保することにより、同じユーザによる複数の通信端末を用いた同時接続を可能にすることを目的とする。
【課題を解決するための手段】
【０００９】
本発明の通信システムは、
交換機を介して、第１通信端末及び第２通信端末と、第３通信端末との間の通信を可能にする通信システムであって、
前記第１通信端末は、
所定の距離内での通信端末間の通信プロトコルを用いて前記第２通信端末を認証し、前記第２通信端末の端末識別情報を取得する認証部と、
前記第３通信端末との接続の際に、前記第１通信端末の端末識別情報と、前記第２通信端末の端末識別情報と、認証結果とを前記交換機に送信する送信部と、
を有し、
前記交換機は、
認証結果に基づいて、前記第１通信端末から受信した前記第１通信端末の端末識別情報と前記第２通信端末の端末識別情報とを保持する端末識別情報保持部と、
前記端末識別情報保持部に保持された情報に基づいて、前記第２通信端末と前記第３通信端末との間の通信の可否を判断する判断部と、
を有し、
前記認証部は、前記第２通信端末と認証鍵を交換した場合に認証フラグを設定し、
前記送信部は、認証結果として認証フラグを送信し、
前記端末識別情報保持部は、認証フラグを受信した場合に、前記第１通信端末の端末識別情報と前記第２通信端末の端末識別情報とを対応付けて保持し、
前記判断部は、前記第２通信端末と前記第３通信端末との接続の際に、前記第１通信端末が前記第３通信端末と通信中であり、且つ、前記端末識別情報保持部において前記第１通信端末の端末識別情報と前記第２通信端末の端末識別情報とが対応付けられている場合に、前記第２通信端末と前記第３通信端末との間の通信を許可することを特徴とする。
また、本発明の通信システムは、
交換機を介して、第１通信端末及び第２通信端末と、第３通信端末との間の通信を可能にする通信システムであって、
前記第１通信端末は、
所定の距離内での通信端末間の通信プロトコルを用いて前記第２通信端末を認証し、前記第２通信端末の端末識別情報を取得する認証部と、
前記第３通信端末との接続の際に、前記第１通信端末の端末識別情報と、前記第２通信端末の端末識別情報と、認証結果とを前記交換機に送信する送信部と、
を有し、
前記交換機は、
認証結果に基づいて、前記第１通信端末から受信した前記第１通信端末の端末識別情報と前記第２通信端末の端末識別情報とを保持する端末識別情報保持部と、
前記端末識別情報保持部に保持された情報に基づいて、前記第２通信端末と前記第３通信端末との間の通信の可否を判断する判断部と、
を有し、
前記交換機は、前記第２通信端末と前記第３通信端末との接続の際に、前記第１通信端末の端末識別情報を前記第３通信端末に通知する通知部を更に有することを特徴とする。
また、本発明の通信システムは、
交換機を介して、第１通信端末及び第２通信端末と、第３通信端末との間の通信を可能にする通信システムであって、
前記第１通信端末は、
所定の距離内での通信端末間の通信プロトコルを用いて前記第２通信端末を認証し、前記第２通信端末の端末識別情報を取得する認証部と、
前記第３通信端末との接続の際に、前記第１通信端末の端末識別情報と、前記第２通信端末の端末識別情報と、認証結果とを前記交換機に送信する送信部と、
を有し、
前記交換機は、
認証結果に基づいて、前記第１通信端末から受信した前記第１通信端末の端末識別情報と前記第２通信端末の端末識別情報とを保持する端末識別情報保持部と、
前記端末識別情報保持部に保持された情報に基づいて、前記第２通信端末と前記第３通信端末との間の通信の可否を判断する判断部と、
を有し、
前記第１通信端末は、
バッテリの残量を管理するバッテリ残量管理部と、
バッテリの残量が閾値未満になった場合、前記交換機に対して通信切断要求を送信する通信切断要求部と、
を更に有し、
前記交換機は、前記第１通信端末から通信切断要求を受信した場合、前記第１通信端末との通信を切断し、前記第２通信端末と前記第３通信端末とを接続する接続管理部を更に有することを特徴とする。
また、本発明の通信システムは、
交換機を介して、第１通信端末及び第２通信端末と、第３通信端末との間の通信を可能にする通信システムであって、
前記第１通信端末は、
所定の距離内での通信端末間の通信プロトコルを用いて前記第２通信端末を認証し、前記第２通信端末の端末識別情報を取得する認証部と、
前記第３通信端末との接続の際に、前記第１通信端末の端末識別情報と、前記第２通信端末の端末識別情報と、認証結果とを前記交換機に送信する送信部と、
を有し、
前記交換機は、
認証結果に基づいて、前記第１通信端末から受信した前記第１通信端末の端末識別情報と前記第２通信端末の端末識別情報とを保持する端末識別情報保持部と、
前記端末識別情報保持部に保持された情報に基づいて、前記第２通信端末と前記第３通信端末との間の通信の可否を判断する判断部と、
を有し、
前記第２通信端末は、
バッテリの残量を管理するバッテリ残量管理部と、
バッテリの残量が閾値未満になった場合、前記交換機に対して通信切断要求を送信する通信切断要求部と、
を更に有し、
前記交換機は、前記第２通信端末から通信切断要求を受信した場合、前記第２通信端末との通信を切断し、前記第１通信端末と前記第３通信端末とを接続する接続管理部を更に有することを特徴とする。
【００１０】
本発明の通信方法は、
交換機を介して、第１通信端末及び第２通信端末と、第３通信端末との間の通信を可能にする通信方法であって、
前記第１通信端末が、所定の距離内での通信端末間の通信プロトコルを用いて前記第２通信端末を認証し、前記第２通信端末の端末識別情報を取得するステップと、
前記第１通信端末が、前記第３通信端末との接続の際に、前記第１通信端末の端末識別情報と、前記第２通信端末の端末識別情報と、認証結果とを前記交換機に送信するステップと、
前記交換機が、認証結果に基づいて、前記第１通信端末から受信した前記第１通信端末の端末識別情報と前記第２通信端末の端末識別情報とを保持するステップと、
前記交換機が、前記端末識別情報保持部に保持された情報に基づいて、前記第２通信端末と前記第３通信端末との間の通信の可否を判断するステップと、
を有し、
前記取得するステップは、前記第２通信端末と認証鍵を交換した場合に認証フラグを設定し、
前記送信するステップは、認証結果として認証フラグを送信し、
前記保持するステップは、認証フラグを受信した場合に、前記第１通信端末の端末識別情報と前記第２通信端末の端末識別情報とを対応付けて前記端末識別情報保持部に保持し、
前記判断するステップは、前記第２通信端末と前記第３通信端末との接続の際に、前記第１通信端末が前記第３通信端末と通信中であり、且つ、前記端末識別情報保持部において前記第１通信端末の端末識別情報と前記第２通信端末の端末識別情報とが対応付けられている場合に、前記第２通信端末と前記第３通信端末との間の通信を許可することを特徴とする。
また、本発明の通信方法は、
交換機を介して、第１通信端末及び第２通信端末と、第３通信端末との間の通信を可能にする通信方法であって、
前記第１通信端末が、所定の距離内での通信端末間の通信プロトコルを用いて前記第２通信端末を認証し、前記第２通信端末の端末識別情報を取得するステップと、
前記第１通信端末が、前記第３通信端末との接続の際に、前記第１通信端末の端末識別情報と、前記第２通信端末の端末識別情報と、認証結果とを前記交換機に送信するステップと、
前記交換機が、認証結果に基づいて、前記第１通信端末から受信した前記第１通信端末の端末識別情報と前記第２通信端末の端末識別情報とを端末識別情報保持部に保持するステップと、
前記交換機が、前記端末識別情報保持部に保持された情報に基づいて、前記第２通信端末と前記第３通信端末との間の通信の可否を判断するステップと、
を有し、
前記交換機が、前記第２通信端末と前記第３通信端末との接続の際に、前記第１通信端末の端末識別情報を前記第３通信端末に通知するステップを更に有することを特徴とする。
また、本発明の通信方法は、
交換機を介して、第１通信端末及び第２通信端末と、第３通信端末との間の通信を可能にする通信方法であって、
前記第１通信端末が、所定の距離内での通信端末間の通信プロトコルを用いて前記第２通信端末を認証し、前記第２通信端末の端末識別情報を取得するステップと、
前記第１通信端末が、前記第３通信端末との接続の際に、前記第１通信端末の端末識別情報と、前記第２通信端末の端末識別情報と、認証結果とを前記交換機に送信するステップと、
前記交換機が、認証結果に基づいて、前記第１通信端末から受信した前記第１通信端末の端末識別情報と前記第２通信端末の端末識別情報とを端末識別情報保持部に保持するステップと、
前記交換機が、前記端末識別情報保持部に保持された情報に基づいて、前記第２通信端末と前記第３通信端末との間の通信の可否を判断するステップと、
を有し、
前記第１通信端末が、バッテリの残量を管理するステップと、
前記第１通信端末が、バッテリの残量が閾値未満になった場合、前記交換機に対して通信切断要求を送信するステップと、
前記交換機が、前記第１通信端末から通信切断要求を受信した場合、前記第１通信端末との通信を切断し、前記第２通信端末と前記第３通信端末とを接続するステップと、
を更に有することを特徴とする。
また、本発明の通信方法は、
交換機を介して、第１通信端末及び第２通信端末と、第３通信端末との間の通信を可能にする通信方法であって、
前記第１通信端末が、所定の距離内での通信端末間の通信プロトコルを用いて前記第２通信端末を認証し、前記第２通信端末の端末識別情報を取得するステップと、
前記第１通信端末が、前記第３通信端末との接続の際に、前記第１通信端末の端末識別情報と、前記第２通信端末の端末識別情報と、認証結果とを前記交換機に送信するステップと、
前記交換機が、認証結果に基づいて、前記第１通信端末から受信した前記第１通信端末の端末識別情報と前記第２通信端末の端末識別情報とを端末識別情報保持部に保持するステップと、
前記交換機が、前記端末識別情報保持部に保持された情報に基づいて、前記第２通信端末と前記第３通信端末との間の通信の可否を判断するステップと、
を有し、
前記第２通信端末が、バッテリの残量を管理するステップと、
前記第２通信端末が、バッテリの残量が閾値未満になった場合、前記交換機に対して通信切断要求を送信するステップと、
前記交換機が、前記第２通信端末から通信切断要求を受信した場合、前記第２通信端末との通信を切断し、前記第１通信端末と前記第３通信端末とを接続するステップと、
を更に有することを特徴とする。
【発明の効果】
【００１１】
本発明の実施例によれば、複数の通信端末が同じユーザによって所有されていることを担保することにより、同じユーザによる複数の通信端末を用いた同時接続が可能になる。
【図面の簡単な説明】
【００１２】
【図１】本発明の実施例に係る通信システムの概略図
【図２】本発明の実施例に係る通信端末でのバッテリ切れによる接続切り替えを示す図
【図３】本発明の実施例に係る通信端末のブロック図
【図４】本発明の実施例に係る交換機のブロック図
【図５】本発明の実施例に係る通信方法のシーケンス図
【図６】バッテリ切れのため、図５に示す通信方法により確立された接続を切り替える方法のシーケンス図
【図７】バッテリ切れのため、図５に示す通信方法により確立された接続を切り替える方法のシーケンス図
【発明を実施するための形態】
【００１３】
本発明の実施例では、交換機を介して、１人のユーザが所有する第１通信端末及び第２通信端末と、他のユーザが所有する第３通信端末との間の通信を可能にする通信システムについて説明する。第１通信端末は、所定の距離内での通信端末間の通信プロトコル（例えば、Ｂｌｕｅｔｏｏｔｈ）を用いて第２通信端末を認証し、第２通信端末の端末識別情報を取得する。第１通信端末は、第３通信端末との接続の際に、第１通信端末の端末識別情報と、第２通信端末の端末識別情報と、認証結果とを交換機に送信する。
【００１４】
交換機は、認証結果に基づいて、第１通信端末から受信した第１通信端末の端末識別情報と第２通信端末の端末識別情報とを保持する。第２通信端末と第３通信端末との間の通信の可否は、保持された情報に基づいて判断される。例えば、認証が実施された後に、第１通信端末が第３通信端末と通信中であり、且つ、第１通信端末の端末識別情報と第２通信端末の端末識別情報とが対応付けられて保持されている場合に、第２通信端末と第３通信端末との間の通信が許可される。
【００１５】
また、本発明の実施例では、第１通信端末のバッテリ切れの際に、第２通信端末に接続を切り替えること、或いは、第２通信端末のバッテリ切れの際に、第１通信端末に接続を切り替えることについても説明する。
【００１６】
以下、本発明の実施例について、図面を参照して詳細に説明する。
【００１７】
＜システム構成＞
図１は、本発明の実施例に係る通信システムの概略図である。ここでは、１人のユーザにより所有される通信端末（ＵＥ−Ｂ）２０が、他のユーザにより所有される通信端末（ＵＥ−Ｃ）３０に接続している間に、通信端末（ＵＥ−Ｂ）２０と同じユーザにより所有される通信端末（ＵＥ−Ａ）１０が通信端末（ＵＥ−Ｃ）３０に接続する場合について説明する。
【００１８】
まず、ＵＥ−Ａ１０とＵＥ−Ｂ２０とが同じユーザにより所有されていることを担保するため、ＵＥ−Ａ１０とＵＥ−Ｂ２０との間で認証が実施される。例えば、交換機を介さないＢｌｕｅｔｏｏｔｈ、無線ＬＡＮ又は赤外線通信のような所定の距離内での通信端末間の通信プロトコルを用いて、ＵＥ−Ａ１０とＵＥ−Ｂ２０との間で認証鍵が交換される。この認証により、ＵＥ−Ａ１０とＵＥ−Ｂ２０とが所定の距離内に存在しており、認証鍵の交換によって同じユーザにより所有されていることが担保される。また、認証鍵の交換の際に、ＵＥ−Ａ１０及びＵＥ−Ｂ２０の端末識別情報（例えば、電話番号、製造番号等）が交換される。なお、認証は、通信の前に実施されてもよく、音声通話又はパケット通信の接続要求時に実施されてもよい。
【００１９】
ＵＥ−Ｂ２０がＵＥ−Ｃ３０に音声通話を開始する際に、ＵＥ−Ｂ２０は、接続先のＵＥ−Ｃ３０の電話番号と共に、認証鍵が交換されていることを示す認証フラグと、ＵＥ−Ｂ２０の端末識別情報と、ＵＥ−Ａ１０の端末識別情報とを回線交換機４０に送信する。回線交換機４０は、認証フラグを受信した場合、ＵＥ−Ｂ２０とＵＥ−Ａ１０とが同じユーザにより所有されていると判断し、端末情報記憶部６０に、ＵＥ−Ｂ２０の端末識別情報とＵＥ−Ａ１０の端末識別情報とを対応付けて記憶する。回線交換機４０は、認証フラグを受信しない場合、端末情報記憶部６０に、ＵＥ−Ｂ２０の端末識別情報とＵＥ−Ａ１０の端末識別情報とを対応付けては記憶しない。なお、認証フラグを受信しない場合、ＵＥ−Ｂ２０とＵＥ−Ａ１０とが認証されていないという情報が端末情報記憶部６０に記憶されてもよい。
【００２０】
次に、ＵＥ−Ａ１０がＵＥ−Ｃ３０にパケット通信を開始する際に、ＵＥ−Ａ１０は、接続先のＵＥ−Ｃ３０の電話番号と共に、認証鍵が交換されていることを示す認証フラグと、ＵＥ−Ａ１０の端末識別情報と、ＵＥ−Ｂ２０の端末識別情報とをパケット交換機５０に送信する。パケット交換機５０は、認証フラグを受信した場合、ＵＥ−Ａ１０とＵＥ−Ｂ２０とが同じユーザにより所有されていると判断し、端末情報記憶部６０に、ＵＥ−Ａ１０の端末識別情報とＵＥ−Ｂ２０の端末識別情報とを対応付けて記憶する。ここでは、この対応付けは既に回線交換機４０により実施されている。パケット交換機５０は、ＵＥ−Ｃ３０の電話番号により、ＵＥ−Ｃ３０がＵＥ−Ｂ２０と通信中であり、また、端末情報記憶部６０から、ＵＥ−Ｂ２０の端末識別情報とＵＥ−Ａ１０の端末識別情報とが認証済として記憶されていることを認識できる。この場合、パケット交換機５０は、ＵＥ−Ａ１０からＵＥ−Ｃ３０への通信を許可する。パケット交換機５０は、ＵＥ−Ａ１０とＵＥ−Ｂ２０とが同じユーザにより所有されていることを示すため、ＵＥ−Ａ１０からＵＥ−Ｃ３０への接続要求時に、ＵＥ−Ａ１０の端末識別情報の代わりに、ＵＥ−Ｂ２０の端末識別情報をＵＥ−Ｃ３０に通知してもよい。
【００２１】
このように、ＵＥ−Ａ１０及びＵＥ−Ｂ２０からＵＥ−Ｃ３０への同時接続が可能になる。なお、ＵＥ−Ａ１０がパケット通信を開始した後に、ＵＥ−Ｂ２０が音声通話を開始する場合にも、上記と同様の手順によって、同時接続が可能になる。また、同じユーザが３台以上の通信端末を所有する場合にも、上記と同様の手順によって、同時接続が可能になる。
【００２２】
上記の説明では、複数の通信端末（ＵＥ−Ａ、ＵＥ−Ｂ）を所有するユーザが発信側ユーザである場合について説明したが、本発明は、複数の通信端末（ＵＥ−Ａ、ＵＥ−Ｂ）を所有するユーザが着信側ユーザである場合にも適用可能である。
【００２３】
この場合、ＵＥ−Ｃ３０がＵＥ−Ｂ２０に音声通話を開始する際に、ＵＥ−Ｃ３０は、接続先のＵＥ−Ｂ２０の電話番号と共に、ＵＥ−Ｃ３０の端末識別情報を回線交換機４０に送信する。ＵＥ−Ｂ２０は、ＵＥ−Ｃ３０からの音声通話接続要求の応答時に、認証鍵が交換されていることを示す認証フラグと、ＵＥ−Ｂ２０の端末識別情報と、ＵＥ−Ａ１０の端末識別情報とを回線交換機４０に送信する。回線交換機４０は、認証フラグを受信した場合、ＵＥ−Ｂ２０とＵＥ−Ａ１０とが同じユーザにより所有されていると判断し、端末情報記憶部６０に、ＵＥ−Ｂ２０の端末識別情報とＵＥ−Ａ１０の端末識別情報とを対応付けて記憶する。回線交換機４０は、認証フラグを受信しない場合、端末情報記憶部６０に、ＵＥ−Ｂ２０の端末識別情報とＵＥ−Ａ１０の端末識別情報とを対応付けては記憶しない。なお、認証フラグを受信しない場合、ＵＥ−Ａ１０とＵＥ−Ｂ２０とが認証されていないという情報が端末情報記憶部６０に記憶されてもよい。
【００２４】
次に、ＵＥ−Ｃ３０がＵＥ−Ａ１０にパケット通信を開始する際に、ＵＥ−Ｃ３０は、接続先のＵＥ−Ａ１０の電話番号と共に、ＵＥ−Ｃ３０の端末識別情報をパケット交換機５０に送信する。ＵＥ−Ｂ２０への接続時と同様に、ＵＥ−Ｃ３０からのパケット通信接続要求の応答時に、ＵＥ−Ａ１０は、認証鍵が交換されていることを示す認証フラグと、ＵＥ−Ａ１０の端末識別情報と、ＵＥ−Ｂ２０の端末識別情報とをパケット交換機５０に送信する。パケット交換機５０は、認証フラグを受信した場合、ＵＥ−Ａ１０とＵＥ−Ｂ２０とが同じユーザにより所有されていると判断し、端末情報記憶部６０に、ＵＥ−Ａ１０の端末識別情報とＵＥ−Ｂ２０の端末識別情報とを対応付けて記憶する。ここでは、この対応付けは既に回線交換機４０により実施されている。パケット交換機５０は、ＵＥ−Ａ１０の電話番号により、ＵＥ−Ａ１０がＵＥ−Ｃ３０と通信中であり、また、端末情報記憶部６０から、ＵＥ−Ｂ２０の端末識別情報とＵＥ−Ａ１０の端末識別情報とが認証済として記憶されていることを認識できる。従って、パケット交換機５０は、ＵＥ−Ｃ３０からＵＥ−Ａ１０への通信を許可する。
【００２５】
図１では、ＵＥ−Ｂ２０とＵＥ−Ｃ３０との間では回線交換機を介して通信されており、ＵＥ−Ａ１０とＵＥ−Ｃ３０との間ではパケット交換機を介して通信されているが、ＵＥ−Ｂ２０とＵＥ−Ｃ３０との間でパケット交換機を介して通信され、ＵＥ−Ａ１０とＵＥ−３０との間で回線交換機を介して通信される場合も同様である。
【００２６】
更に、ＵＥ−Ｂ２０とＵＥ−Ｃ３０との間でパケット交換機を介して通信され、ＵＥ−Ａ１０とＵＥ−３０との間でパケット交換機を介して通信される場合も同様である。
【００２７】
典型的には、ＵＥ−Ａ１０及びＵＥ−Ｂ２０は、ＵＥ−Ｃ３０と同様に、音声通話及びデータ通信との双方に対応する通信端末である。従って、図２に示すように、ＵＥ−Ｂ２０のバッテリ切れの際には、ＵＥ−Ａ１０に接続を切り替えることで、通信が継続できる。
【００２８】
例えば、ＵＥ−Ｂ２０のバッテリの残量が閾値未満になった場合、ＵＥ−Ｂ２０は、回線交換機４０に対して通信切断要求を送信する。回線交換機４０は、ＵＥ−Ｂ２０との回線を切断し、端末情報記憶部６０を参照して、ＵＥ−Ｂ２０の端末識別情報とＵＥ−Ａ１０の端末識別情報とが認証済として記憶されているかを判別する。ＵＥ−Ｂ２０の端末識別情報とＵＥ−Ａ１０の端末識別情報とが認証済として記憶されている場合、回線交換機４０は、ＵＥ−Ａ１０に接続を切り替える。
【００２９】
同様に、ＵＥ−Ａ１０のバッテリ切れの際には、ＵＥ−Ｂ２０に接続を切り替えることで、通信が継続できる。
【００３０】
図３は、本発明の実施例に係る通信端末ＵＥ−Ａ１０及びＵＥ−Ｂ２０のブロック図である。ＵＥ−Ａ１０及びＵＥ−Ｂ２０の構成は同じであるため、以下ではＵＥ−Ａ１０について説明する。
【００３１】
通信端末１０は、Ｂｌｕｅｔｏｏｔｈ通信部１０１と、認証鍵交換部１０３と、認証端末情報保持部１０５と、バッテリ残量管理部１０７と、通信切断要求部１０９と、通信部１１１とを有する。
【００３２】
Ｂｌｕｅｔｏｏｔｈ通信部１０１は、Ｂｌｕｅｔｏｏｔｈにより、所定の距離内の通信端末と通信する。ここでは、Ｂｌｕｅｔｏｏｔｈを例にして説明するが、Ｂｌｕｅｔｏｏｔｈの代わりに、無線ＬＡＮ又は赤外線通信のような通信端末間の通信プロトコルが用いられてもよい。
【００３３】
認証鍵交換部１０３は、Ｂｌｕｅｔｏｏｔｈ通信部１０１を介して、所定の距離内の通信端末と認証鍵を交換する。認証鍵の交換は、一方の通信端末で設定された認証鍵を他方の通信端末に登録することにより実施されてもよい。また、一方の通信端末で設定された認証鍵を他方の通信端末に登録し、且つ、他方の通信端末で設定された認証鍵を一方の通信端末に登録することにより実施されてもよい。
【００３４】
認証端末情報保持部１０５は、認証が実施された通信端末の端末識別情報を保持する。端末識別情報は、電話番号、製造番号等のように、通信端末を一意に識別する情報である。
【００３５】
バッテリ残量管理部１０７は、バッテリの残量を管理する。
【００３６】
通信切断要求部１０９は、バッテリの残量が閾値未満になった場合、接続中の回線交換機又はパケット交換機に対して通信切断要求を送信する。これにより、接続中の回線交換機又はパケット交換機に対して、認証された通信端末２０との再接続を促す。また、通信端末１０がパケット交換機に接続している場合には、認証された通信端末２０にパケット通信を引き継ぐため、Ｂｌｕｅｔｏｏｔｈ通信部１０１を介して、認証された通信端末２０に対してパケット通信用アプリケーションの起動を要求してもよい。
【００３７】
通信部１１１は、回線交換機又はパケット交換機を介して接続先通信端末と通信する。通信部１１１は、接続先通信端末と接続する際に、接続先通信端末の電話番号と共に、認証フラグと、自通信端末の端末識別情報と、認証端末情報保持部１０１に保持された認証済の端末識別情報とを交換機に送信する。
【００３８】
図４は、本発明の実施例に係る交換機４０のブロック図である。なお、パケット交換機５０も同様に構成される。図４では、端末情報記憶部６０が交換機４０の外部に存在するが、端末情報記憶部６０は、交換機４０に含まれてもよい。
【００３９】
交換機４０は、通信部４０１と、端末識別情報取得部４０３と、接続判断部４０５と、接続管理部４０７とを有する。
【００４０】
通信部４０１は、通信端末間に対して音声又はパケットを通信する。通信部４０１は、接続先通信端末に対して、発信元通信端末の識別情報を通知してもよい。上記のように、複数の通信端末（ＵＥ−Ａ１０、ＵＥ−Ｂ２０）が認証されており、一方の通信端末（ＵＥ−Ｂ２０）が通信中である場合、通信部４０１は、他方の通信端末（ＵＥ−Ａ１０）からの接続要求時に、接続要求をしている通信端末（ＵＥ−Ａ１０）の端末識別情報の代わりに、通信中の通信端末（ＵＥ−Ｂ２０）の端末識別情報を接続先通信端末（ＵＥ−Ｃ３０）に通知してもよい。
【００４１】
端末識別情報取得部４０３は、通信端末から認証フラグと認証した複数の通信端末（ＵＥ−Ａ１０、ＵＥ−Ｂ２０）の端末識別情報とを受信した場合、端末情報記憶部６０に、認証した複数の通信端末の端末識別情報を対応付けて記憶する。
【００４２】
接続判断部４０５は、認証フラグに基づいて、接続要求をしている通信端末から接続先通信端末への通信の可否を判断する。具体的には、通信端末（ＵＥ−Ａ１０）から接続先通信端末（ＵＥ−Ｃ３０）への接続要求時に、接続先通信端末（ＵＥ−Ｃ３０）の電話番号により、接続先通信端末（ＵＥ−Ｃ３０）が通信している通信端末（ＵＥ−Ｂ２０）を確認する。接続判断部４０５は、端末情報記憶部６０を参照することにより、通信端末（ＵＥ−Ａ１０、ＵＥ−Ｂ２０）の端末識別情報が認証済として記憶されていることを認識する。この場合、接続判断部４０５は、接続要求をしている通信端末（ＵＥ−Ａ１０）から接続先通信端末（ＵＥ−Ｃ３０）への通信を許可する。認証済として記憶されていない場合、接続要求をしている通信端末（ＵＥ−Ａ１０）から接続先通信端末（ＵＥ−Ｃ３０）への通信を許可しない。
【００４３】
接続管理部４０７は、通信端末から通信切断要求を受信した場合、端末情報記憶部６０を参照することにより、認証された通信端末を判別し、認証された通信端末に接続を切り替える。
【００４４】
端末情報記憶部６０は、上記のように、認証された通信端末を対応付けて記憶する。また、端末情報記憶部６０は、ユーザの情報を記憶してもよい。端末情報記憶部６０は、例えば、電話番号、製造番号、契約者名、契約者住所、在圏情報等を記憶してもよい。このようなユーザの情報は、端末情報記憶部６０とは別のユーザ情報記憶部（図示せず）に記憶されてもよい。
【００４５】
＜通信方法の手順＞
図５は、本発明の実施例に係る通信方法のシーケンス図である。ここでは、ＵＥ−Ｂ２０がＵＥ−Ｃ３０に対して音声通話を開始した後に、ＵＥ−Ａ１０がＵＥ−Ｃ３０に対してパケット通信を開始する場合について説明する。
【００４６】
まず、ＵＥ−Ａ１０とＵＥ−Ｂ２０との間で認証を実施するため、ＵＥ−Ｂ２０がＵＥ−Ａ１０に対して認証を要求する（Ｓ１０１）。この認証要求は、ＵＥ−Ａ１０からＵＥ−Ｂ２０に対して実施されてもよい。認証要求に応じて、Ｂｌｕｅｔｏｏｔｈのような通信プロトコルを用いて、ＵＥ−Ａ１０とＵＥ−Ｂ２０との間で認証鍵が交換される（Ｓ１０３）。認証鍵の交換の際に、ＵＥ−Ａ１０及びＵＥ−Ｂ２０の端末識別情報（例えば、電話番号、製造番号等）が交換される。
【００４７】
ＵＥ−Ｂ２０がＵＥ−Ｃ３０に音声通話を開始する際に、ＵＥ−Ｂ２０は、音声通話接続要求を回線交換機４０に送信する（Ｓ１０５）。この音声通話接続要求には、接続先のＵＥ−Ｃ３０の電話番号と共に、認証鍵が交換されていることを示す認証フラグと、ＵＥ−Ｂ２０の端末識別情報と、ＵＥ−Ａ１０の端末識別情報とが含まれる。回線交換機４０は、認証フラグを受信した場合、端末情報記憶部６０に、発信元通信端末の情報（ＵＥ−Ｂ２０の端末識別情報、ＵＥ−Ａ１０の端末識別情報）を登録する。また、回線交換機４０は、接続先の回線交換機を把握するため、ＵＥ−Ｃ３０の在圏情報を要求する（Ｓ１０７）。なお、発信元通信端末の情報の登録及びＵＥ−Ｃ３０の在圏情報の要求には、認証フラグと、ＵＥ−Ｂ２０の端末識別情報と、ＵＥ−Ａ１０の端末識別情報と、ＵＥ−Ｃ３０の電話番号とが用いられる。そして、回線交換機４０は、ＵＥ−Ｃ３０の在圏情報を端末情報記憶部６０から取得する（Ｓ１０９）。ＵＥ−Ｃ３０への接続にあたり、発信元であるＵＥ−Ｂ２０の端末識別情報が用いられ、ＵＥ−Ａ１０の端末識別情報は用いられない。
【００４８】
回線交換機４０は、接続先の回線交換機に音声通話接続要求を送信する（Ｓ１１１）この音声通話接続要求には、ＵＥ−Ｂ２０の端末識別情報と、ＵＥ−Ｃ３０の在圏情報とが含まれる。更に、接続先の回線交換機は、ＵＥ−Ｃ３０に音声通話接続要求を送信する（Ｓ１１３）。この音声通話接続要求には、ＵＥ−Ｂ２０の端末識別情報が含まれる。ＵＥ−Ｃ３０が音声通話接続要求に応答すると、ＵＥ−Ｃ３０は、回線交換機を介してＵＥ−Ｂ２０に音声通話接続応答を送信する（Ｓ１１５、Ｓ１１７、Ｓ１１９）。これにより、ＵＥ−Ｂ２０と回線交換機４０との間にベアラ（Ｕ−Ｐｌａｎｅ）が設定され、回線交換機４０と接続先の回線交換機との間にベアラ（Ｕ−Ｐｌａｎｅ）が設定され、接続先の回線交換機とＵＥ−Ｃ３０との間にベアラ（Ｕ−Ｐｌａｎｅ）が設定され、音声通話が可能になる（Ｓ１２１）。このように、ベアラは、回線交換機で終端される。
【００４９】
次に、ＵＥ−Ａ１０がパケット通信を開始するため、ＵＥ−Ａ１０はパケット通信用アプリケーションを起動し（Ｓ１２３）、パケット通信接続要求をパケット交換機５０に送信する（Ｓ１２５）。このパケット通信接続要求には、接続先のＵＥ−Ｃ３０の電話番号と共に、認証鍵が交換されていることを示す認証フラグと、ＵＥ−Ａ１０の端末識別情報と、ＵＥ−Ｂ２０の端末識別情報とが含まれる。パケット交換機５０は、認証フラグを受信した場合、端末情報記憶部６０に、発信元通信端末の情報（ＵＥ−Ａ１０の端末識別情報、ＵＥ−Ｂ２０の端末識別情報）を登録する。ここでは、この登録は既に実施されており、ＵＥ−Ｂ２０がＵＥ−Ｃ３０と音声通話中であることがわかる。また、パケット交換機５０は、接続先のパケット交換機を把握するため、ＵＥ−Ｃ３０の在圏情報を要求する（Ｓ１２７）。なお、発信元通信端末の情報の登録及びＵＥ−Ｃ３０の在圏情報の要求には、認証フラグと、ＵＥ−Ａ１０の端末識別情報と、ＵＥ−Ｂ２０の端末識別情報と、ＵＥ−Ｃ３０の電話番号とが用いられる。そして、パケット交換機５０は、ＵＥ−Ｃ３０の在圏情報を端末情報記憶部６０から取得する（Ｓ１２９）。ＵＥ−Ｃ３０への接続にあたり、音声通話中であるＵＥ−Ｂ２０の端末識別情報が用いられる。
【００５０】
パケット交換機５０は、接続先のパケット交換機にパケット通信接続要求を送信する（Ｓ１３１）この音声通話接続要求には、ＵＥ−Ｂ２０の端末識別情報と、ＵＥ−Ｃ３０の在圏情報とが含まれる。更に、接続先のパケット交換機は、ＵＥ−Ｃ３０にパケット通信接続要求を送信する（Ｓ１３５）。このパケット通信接続要求には、ＵＥ−Ｂ２０の端末識別情報が含まれる。従って、ＵＥ−Ｃ３０のユーザは、同じユーザからのパケット通信接続要求であると認識できる。ＵＥ−Ｃ３０がパケット通信接続要求に応答すると、ＵＥ−Ｃ３０は、パケット交換機を介してＵＥ−Ａ１０にパケット通信接続応答を送信する（Ｓ１３７、Ｓ１３９、Ｓ１４１）。これにより、ＵＥ−Ａ１０とパケット交換機５０との間にベアラ（Ｕ−Ｐｌａｎｅ）が設定され、パケット交換機５０と接続先のパケット交換機との間にベアラ（Ｕ−Ｐｌａｎｅ）が設定され、接続先のパケット交換機とＵＥ−Ｃ３０との間にベアラ（Ｕ−Ｐｌａｎｅ）が設定され、パケット通信が可能になる（Ｓ１４３）。このように、ベアラは、パケット交換機で終端される。
【００５１】
なお、ステップＳ１３５のパケット通信接続要求に対して、ＵＥ−Ｃ３０でパケット通信用アプリケーションが起動されてもよい。特にアシスト機能のように一方の端末から他方の端末への遠隔制御が可能なアプリケーションの場合には、音声通話中の発信元通信端末からのパケット通信接続要求に対してのみ、アプリケーションが起動されてもよい。その他の通信端末からのパケット通信接続要求は、拒否してもよい。
【００５２】
図５では、音声通話を開始した後にパケット通信を開始する場合に相当するが、図１を参照して説明したとおり、本発明は、パケット通信を開始した後に音声通話を開始する場合にも適用可能である。また、図５では、ＵＥ−Ａ１０及びＵＥ−Ｂ２０が発信側ユーザである場合に相当するが、図１を参照して説明した通り、本発明は、ＵＥ−Ａ１０及びＵＥ−Ｂ２０を所有するユーザが着信側ユーザである場合にも適用可能である。
【００５３】
図６は、ＵＥ−Ｂ２０のバッテリ切れのため、図５に示す通信方法により確立された接続を切り替える方法のシーケンス図である。
【００５４】
ＵＥ−Ｂ２０とＵＥ−Ｃ３０との間で音声通話中に、ＵＥ−Ｂ２０は、バッテリの残量が閾値未満であるか否かを検出する（Ｓ２０１）。ＵＥ−Ｂ２０のバッテリの残量が閾値未満になった場合、ＵＥ−Ｂ２０は、通信の切断を要求するための音声通話セッション開放要求を回線交換機４０に送信する（Ｓ２０３）。回線交換機４０は、認証済としてＵＥ−Ｂ２０と対応付けて記憶されている接続切り替え可能な通信端末の情報を要求し（Ｓ２０５）、ＵＥ−Ｂ２０と対応付けて記録されているＵＥ−Ａ１０の端末識別情報を端末情報記憶部６０から取得する（Ｓ２０７）。回線交換機４０は、ＵＥ−Ｂ２０とのベアラを開放し、音声通話セッション開放応答をＵＥ−Ｂ２０に送信する（Ｓ２０９）。この場合、回線交換機４０と接続先の回線交換機との間のベアラ、及び接続先の回線交換機とＵＥ−Ｃ３０との間のベアラは開放されない。
【００５５】
回線交換機４０は、ＵＥ−Ａ１０に音声通話接続要求を送信し（Ｓ２１１）、ＵＥ−Ａ１０が音声通話接続要求に応答すると、ＵＥ−Ａ１０は、回線交換機４０に音声通話接続応答を送信する（Ｓ２１３）。これにより、ＵＥ−Ａ１０と回線交換機４０との間にベアラ（Ｕ−Ｐｌａｎｅ）が設定され、回線交換機４０とＵＥ−Ｃ３０との間の開放されていないベアラと接続される。そして、音声通話が再開される（Ｓ２１５）。
【００５６】
図７は、ＵＥ−Ａ１０のバッテリ切れのため、図５に示す通信方法により確立された接続を切り替える方法のシーケンス図である。
【００５７】
ＵＥ−Ａ１０とＵＥ−Ｃ３０との間でパケット通信中に、ＵＥ−Ａ１０は、バッテリの残量が閾値未満であるか否かを検出する（Ｓ３０１）。ＵＥ−Ａ１０のバッテリの残量が閾値未満になった場合、ＵＥ−Ｂ２０にパケット通信を引き継ぐため、Ｂｌｕｅｔｏｏｔｈ通信部等により、ＵＥ−Ｂ２０に対してパケット通信用アプリケーションの起動を要求する（Ｓ３０３）。ＵＥ−Ｂ２０は、アプリケーションを起動し（Ｓ３０５）、アプリケーションの起動が終了した場合にアプリケーション起動応答をＵＥ−Ａ１０に送信する（Ｓ３０７）。
【００５８】
ＵＥ−Ａ１０は、通信の切断を要求するためのパケット通信セッション開放要求をパケット交換機５０に送信する（Ｓ３０９）。パケット交換機５０は、認証済としてＵＥ−Ａ１０と対応付けて記憶されている接続切り替え可能な通信端末の情報を要求し（Ｓ３１１）、ＵＥ−Ａ１０と対応付けて記録されているＵＥ−Ｂ２０の端末識別情報を端末情報記憶部６０から取得する（Ｓ３１３）。パケット交換機５０は、ＵＥ−Ａ１０とのベアラを開放し、パケット通信セッション開放応答をＵＥ−Ａ１０に送信する（Ｓ３１５）。この場合、パケット交換機５０と接続先のパケット交換機との間のベアラ、及び接続先のパケット交換機とＵＥ−Ｃ３０との間のベアラは開放されない。
【００５９】
パケット交換機５０は、ＵＥ−Ｂ２０にパケット通信接続要求を送信し（Ｓ３１７）、ＵＥ−Ｂ２０がパケット通信接続要求に応答すると、ＵＥ−Ｂ２０は、パケット交換機５０にパケット通信接続応答を送信する（Ｓ３１９）。これにより、ＵＥ−Ｂ２０とパケット交換機５０との間にベアラ（Ｕ−Ｐｌａｎｅ）が設定され、パケット交換機５０とＵＥ−Ｃ３０との間の開放されていないベアラと接続される。そして、パケット通信が再開される（Ｓ３２１）。
【００６０】
図６及び図７では、ＵＥ−Ａ１０及びＵＥ−Ｂ２０が発信側ユーザである場合に相当するが、同様の手順により、本発明は、ＵＥ−Ａ１０及びＵＥ−Ｂ２０を所有するユーザが着信側ユーザである場合にも適用可能である。
【００６１】
更に、ＵＥ−Ｂ２０とＵＥ−Ｃ３０との間で回線交換機ではなくパケット交換機を介して通信される場合も、同様に接続切り替えが実現できる。例えば、ＶｏＩＰ（Voice over Internet Protocol）の場合、音声もパケット交換機を介して通信される。この場合、通信端末がマルチパケットベアラに対応した端末であれば、同様の接続切り替えが実現できる。
【００６２】
＜実施例の効果＞
上記のように、本発明の実施例によれば、複数の通信端末が同じユーザによって所有されていることを担保することにより、同じユーザによる複数の通信端末を用いた同時接続が可能になる。
【００６３】
本発明の実施例では、Ｂｌｕｅｔｏｏｔｈのような通信プロトコルを用いて、認証鍵が交換される。従って、複数の通信端末が互いに近くに存在し、且つ、認証されているという条件を満たす場合に、同じユーザによる同時接続とみなされる。このような認証により、端末識別情報を偽装した「なりすまし」を回避できる。
【００６４】
なお、２台目の接続時に１台目の端末情報を接続先通信端末に通知することにより、着信側ユーザは、同じユーザからの接続要求であることを認識できる。
【００６５】
また、一方の通信端末のバッテリ切れの際でも、他方の通信端末に接続を切り替えて、通信を継続できる。
【００６６】
説明の便宜上、本発明の実施例に係る装置は機能的なブロック図を用いて説明しているが、本発明の装置は、ハードウェア、ソフトウェア又はそれらの組み合わせで実現されてもよい。また、各機能部が必要に応じて組み合わせて使用されてもよい。
【００６７】
説明の便宜上、本発明の実施例に係る方法は処理の流れを示すフローチャート及びシーケンス図を用いて説明しているが、本発明の方法は、実施例に示す順序と異なる順序で実施されてもよい。
【００６８】
以上、本発明の実施例について説明したが、本発明は、上記の実施例に限定されることなく、特許請求の範囲内において、種々の変更・応用が可能である。
【符号の説明】
【００６９】
１０、２０、３０  通信端末
１０１、２０１    Ｂｌｕｅｔｏｏｔｈ通信部
１０３、２０３    認証鍵交換部
１０５、２０５    認証端末情報保持部
１０７、２０７    バッテリ残量管理部
１０９、２０９    通信切断要求部
１１１、２１１    通信部
４０、５０        交換機
４０１            通信部
４０３            端末識別情報取得部
４０５            接続判断部
４０７            接続管理部
６０              端末情報記憶部
【図１】
0005635889.tif 000002
【図２】
0005635889.tif 000003
【図３】
0005635889.tif 000004
【図４】
0005635889.tif 000005
【図５】
0005635889.tif 000006
【図６】
0005635889.tif 000007
【図７】
0005635889.tif 000008